(57)【要約】【課題】複数の媒体保持部の媒体を処理した後に排出側で保持可能とし、かつ利便性の低下及び装置の大型化を抑制することができる情報処理装置を提供する。【解決手段】複数の用紙Ｐが積層状態で保持される用紙カセット９及び手差し供給部３０と、用紙カセット９及び手差し供給部３０からそれぞれ用紙Ｐを一枚ずつに分離して搬送する分離搬送経路Ａ，Ｃと、分離搬送経路Ａ，Ｃから搬送された用紙Ｐを印刷部２９に搬送する共通の処理搬送経路Ｂと、処理搬送経路Ｂから排出された用紙Ｐを用紙カセット９の上側で保持するスタッカ１１と、を備え、スタッカ１１を、処理搬送経路Ｂから排出された用紙Ｐを保持する排出位置と、処理搬送経路Ｂから排出された用紙Ｐを用紙カセット９に収容させる開放位置とに移動可能とする可動機構７０が設けられている。【選択図】図３
2009120362.tif 000002
【特許請求の範囲】
【請求項１】
複数のシート状の媒体が積層状態で保持される第１および第２の供給側媒体保持部と、
前記第１の供給側媒体保持部から媒体を一枚ずつに分離して搬送する第１の分離搬送経路と、
前記第２の供給側媒体保持部から媒体を一枚ずつに分離して搬送する第２の分離搬送経路と、
前記第１または第２の分離搬送経路から搬送された媒体を処理部に搬送する処理搬送経路と、
前記処理搬送経路から排出された媒体を第１の前記供給側媒体保持部の上側で保持する排出側媒体保持部と、を備えた情報処理装置であって、
前記排出側媒体保持部を、前記処理搬送経路から排出された媒体を保持する排出位置と、前記処理搬送経路から排出された媒体を前記第１の供給側媒体保持部に収容させる開放位置とに移動可能とする可動機構が設けられていることを特徴とする情報処理装置。
【請求項２】
請求項１に記載の情報処理装置において、
前記第１の供給側媒体保持部内の媒体の有無を検出する検出手段を備え、前記検出手段からの検出結果に基づいて前記可動機構が駆動されて前記排出側媒体保持部が移動されることを特徴とする情報処理装置。
【請求項３】
請求項１または２に記載の情報処理装置において、
前記排出側媒体保持部が前記開放位置にある状態において前記処理搬送経路から排出された媒体を前記第１の供給側媒体保持部へ案内するガイドを備えていることを特徴とする情報処理装置。
【請求項４】
請求項１から３の何れか一項に記載の情報処理装置において、
前記第１の供給側媒体保持部が当該情報処理装置の本体に対して着脱可能なカセットであることを特徴とする情報処理装置。
【発明の詳細な説明】
【技術分野】
【０００１】
本発明は、積層状態で保持された複数のシート状の媒体を一枚ずつ処理部に搬送して、媒体に対して印刷等の情報処理を行う情報処理装置に関する。
【背景技術】
【０００２】
シート状の媒体に対する情報処理を行う情報処理装置の一例として、プリンタ（印刷装置）が挙げられる。プリンタには様々な構成のものが知られているが、例えば、装置下部に設けられた給紙トレイから、この給紙トレイに積層されて収納された複数の用紙を一枚ずつＵ字形給送経路に向けて繰り出し、上側に円弧状に反転させてキャリッジに設けられた記録ヘッドにより印刷を行った後に、給紙トレイの上方位置に排紙するものがある（例えば、特許文献１参照）。
また、このようなプリンタには、給紙トレイとは別にＵ字形給送経路の途中の上方から記録ヘッドに給紙するための経路を設けた構造のものも知られている。
【０００３】
【特許文献１】特許第３５２０４６９号公報
【発明の開示】
【発明が解決しようとする課題】
【０００４】
プリンタなどの情報処理装置は、大量の用紙に対して印刷等の情報処理が連続的に行われる場合がある。このような場合、例えば上記した複数の給紙経路を有するプリンタにおいては、複数の給紙経路の用紙保持部にそれぞれ用紙を積層させておき、これらの用紙保持部から用紙を繰り出して印刷処理を行うことが考えられる。しかしながら、印刷した用紙の排出先は一箇所の排紙部であり、その排紙部に積層できる用紙の量は、大きい方の用紙保持部（例えば下方の給紙トレイ）の用紙保持量に対応されているものの、両方の用紙保持部からの総排紙量には満たないのが現状である。
排紙部に大量の用紙を積層可能な構成とした場合には、その積層高さを確保しなければならないため、排紙経路から排紙部までの高低差を大きく設けることによって装置が大型化してしまう。
このような状況により、複数の用紙保持部から大量印刷する場合には、その処理の途中で排紙部上の用紙を取り除く作業が必要であり、装置の利便性が良いとは言えなかった。
【０００５】
そこで、本発明の目的は、複数の媒体保持部の媒体を処理した後に排出側で保持可能とし、かつ利便性の低下及び装置の大型化を抑制することができる情報処理装置を提供することにある。
【課題を解決するための手段】
【０００６】
前記課題を解決することのできる本発明に係る情報処理装置は、
複数のシート状の媒体が積層状態で保持される第１および第２の供給側媒体保持部と、
前記第１の供給側媒体保持部から媒体を一枚ずつに分離して搬送する第１の分離搬送経路と、
前記第２の供給側媒体保持部から媒体を一枚ずつに分離して搬送する第２の分離搬送経路と、
前記第１または第２の分離搬送経路から搬送された媒体を処理部に搬送する処理搬送経路と、
前記処理搬送経路から排出された媒体を第１の前記供給側媒体保持部の上側で保持する排出側媒体保持部と、を備えた情報処理装置であって、
前記排出側媒体保持部を、前記処理搬送経路から排出された媒体を保持する排出位置と、前記処理搬送経路から排出された媒体を前記第１の供給側媒体保持部に収容させる開放位置とに移動可能とする可動機構が設けられていることを特徴とする。
【０００７】
この構成の情報処理装置によれば、排出側媒体保持部を排出位置に配置した状態で、第１の供給側媒体保持部に積層状態で収容された複数の媒体を一枚ずつ第１の分離搬送経路及び処理搬送経路で処理部に搬送し、処理部で処理した後にこの第１の供給側媒体保持部の上側に設けられた排出側媒体保持部に排出する。そして、第１の供給側媒体保持部の媒体が全て排出側媒体保持部に排出された後、可動機構により排出側媒体保持部を開放位置に移動することで、第２の供給側媒体保持部に積層状態で収容された複数の媒体を第２の分離搬送経路及び処理搬送経路で処理部に搬送し、処理部で処理した後に、空となった第１の供給側媒体保持部に収容することができる。これにより、第１および第２の供給側媒体保持部の媒体を連続処理している途中で、作業者が排出側媒体保持部から媒体を取り除く必要が無いため、利便性を向上させることができる。また、連続処理した全ての媒体を排出側媒体保持部と第１の供給側媒体保持部に分けて保持させることができるため、処理後の媒体を排出する経路から排出側媒体保持部までの高低差を大きく設ける必要がなく、装置の大型化を抑制することができる。
【０００８】
本発明に係る情報処理装置において、前記第１の供給側媒体保持部内の媒体の有無を検出する検出手段を備え、前記検出手段からの検出結果に基づいて前記可動機構が駆動されて前記排出側媒体保持部が移動されることが好ましい。
この構成によれば、例えば、第１の供給側媒体保持部内の媒体が全て繰り出されて無くなったときに、その状態が検出手段によって検出されることで可動機構が駆動されて、排出側媒体保持部を開放位置へ移動させることができる。そして、第２の供給側媒体保持部から媒体を繰り出して処理し、第１の供給側媒体保持部に排出して保持させることができるため、第１および第２の供給側媒体保持部からの連続処理効率を向上させることができる。
【０００９】
本発明に係る情報処理装置において、前記排出側媒体保持部が前記開放位置にある状態において前記処理搬送経路から排出された媒体を前記第１の供給側媒体保持部へ案内するガイドを備えていることが好ましい。
この構成によれば、処理部で処理されて排出される媒体を、円滑に第１の供給側媒体保持部へ案内して保持させることができる。
【００１０】
本発明に係る情報処理装置において、前記第１の供給側媒体保持部が当該情報処理装置の本体に対して着脱可能なカセットであることが好ましい。
この構成によれば、媒体の処理後に第１の供給側媒体保持部であるカセットに保持された媒体をカセットごと取り外して運搬等することができ、利便性を高めることができる。
【発明を実施するための最良の形態】
【００１１】
以下、本発明に係る情報処理装置の実施形態の例を、図面を参照しつつ説明する。
図１〜図６は本発明に係る情報処理装置の一実施形態であるプリンタの例を示したものであり、図１はプリンタの前面側斜め上方から見た斜視図、図２は図１に示したプリンタの構造を示す部分側断面図、図３は図１に示したプリンタを概略的に示す部分側断面図、図４は図１に示したプリンタの制御のフローチャート、図５及び図６は図１に示したプリンタの変形例を概略的に示す部分側断面図である。
【００１２】
本実施形態のプリンタ１は、手差しによるリヤ給紙可能なフロント給・排紙タイプの業務用インクジェットプリンタであり、図１に示すように、下部ケース３と上部ケース５とから構成される装置ケース７の前面中央に、シート状の媒体である用紙を複数枚積層状態で装填した略箱形の用紙カセット（第１の供給側媒体保持部）９が着脱自在に装着されている。また、このプリンタ１は、装置ケース７の後方側における上部に、用紙を複数枚積層状態で手差し可能な手差し給紙部（第２の供給側媒体保持部）３０を備えており、この手差し給紙部３０によって後部上方側からの手差しによる給紙が可能である。また、用紙カセット９の上面開放部を覆うように、情報処理としての印刷処理が終了した用紙を受けて下から上に順に積層させて保持するトレイ型の排出側媒体保持部であるスタッカ１１を備えている。また、装置ケース７の前面の両側には、動作状態を表示する表示部１３や、内側にインクカートリッジを収容するカートリッジ収容部１４が設けられている。
【００１３】
装置ケース７内には、図２に示すように、用紙カセット９に上下方向に積層状態で収容された複数の用紙から用紙を一枚ずつに分離してプリンタ後方に繰り出す用紙繰り出し機構２１と、この用紙繰り出し機構２１が繰り出した用紙を第１の分離搬送経路である円弧状の分離搬送経路Ａに沿って上側で反転させて搬送する円弧状搬送部２３と、この円弧状搬送部２３から搬送されてきた用紙を直線状の処理搬送経路Ｂに沿って処理部である印刷部２９による処理位置に挟持して搬送する紙送りローラ対２５，２６と、この紙送りローラ対２５，２６の下流側の処理搬送経路Ｂにおいて用紙上に文字や図形等の画像を印刷する印刷部２９と、印刷部２９によって印刷が済んだ用紙をプリンタ前方のスタッカ１１に排出する排出搬送機構３１等が組み込まれている。なお、紙送りローラ対２５，２６は、一方が駆動ローラ２５であり、他方が補助ローラ２６である。
【００１４】
用紙繰り出し機構２１は、先端に繰り出し用のピックアップローラ３３を備えたフレーム３４の後端が支持ピン３５によって図中上下方向に回動可能に構成されている。この用紙繰り出し機構２１は、フレーム３４の上下方向の揺動により、用紙カセット９内の最上部の用紙に対してピックアップローラ３３を接触させることが可能である。用紙繰り出し機構２１は、プリンタ１の休止時にはフレーム３４が水平に維持されて、ピックアップローラ３３が用紙カセット９上の用紙から離れた状態に保たれる。そして、プリンタ１の給紙時には、支持ピン３５を中心とするフレーム３４の下方への回動によって、ピックアップローラ３３が用紙カセット９上の用紙に押し付けられ、ピックアップローラ３３の回転によって用紙カセット９上の用紙が傾斜した分離パッド３６に当接して、その摩擦力と用紙のこしの強さによって分離され、さらに搬送ローラ３９及び分離ローラ２２で確実に一枚ずつに分離されて円弧状搬送部２３側に繰り出される。給紙が済んで、印刷部２９によって印刷が開始される時には、フレーム３４は元の水平状態に戻される。
【００１５】
円弧状搬送部２３は、分離搬送経路Ａの外側（プリンタ１の背面側）に設けられ略円弧状に湾曲したガイド面３７を有するガイド部３８と、分離搬送経路Ａの内側（プリンタ１の前面側）に設けられガイド面３７の下方から上方に向かって用紙を送る搬送ローラ３９とを備えた構成である。また、ガイド部３８は、下方側に設けられた分離ローラ２２と、上方側に設けられたアシストローラ２４を有している。そして、ピックアップローラ３３によって送り出された用紙は、搬送ローラ３９と分離ローラ２２との協働によって一枚ずつに分離され、これら搬送ローラ３９と分離ローラ２２とで挟持されて搬送され、さらにガイド部３８と搬送ローラ３９とで案内され、搬送ローラ３９とアシストローラ２４とによって挟持されて搬送される。これにより、用紙カセット９内に積層状態で収容された用紙は、分離搬送経路Ａで一枚ずつに分離されて搬送され、その先端部がプリンタ前面側へ向けられて処理搬送経路Ｂへ送り出される。
【００１６】
処理搬送経路Ｂに設けられた紙送りローラ対２５，２６は、分離搬送経路Ａの出口端からプリンタ前面側に所定距離離れた位置に設けられており、円弧状搬送部２３から送り出されてきた用紙を挟持して処理位置である印刷部２９の下に搬送する。つまり、上記のように分離搬送経路Ａから一枚ずつ分離状態で搬送されてきた用紙を、処理搬送経路Ｂは印刷部２９に搬送し、印刷部２９で印刷して、スタッカ１１上に排紙する。
【００１７】
また、このプリンタ１は、装置後部の円弧状搬送部２３の上方側に、前述の手差し給紙部３０を備えている。この手差し給紙部３０は、複数枚の用紙がプリンタ前後方向に積層状態で収容されるもので、手差し給紙部３０の下側には、手差し給紙部３０に装填された複数枚の用紙から用紙を一枚ずつに分離してプリンタ前方に前下がりに繰り出すとともに第２の分離搬送経路である分離搬送経路Ｃに沿ってプリンタ前方に搬送する用紙繰り出し搬送機構５０が設けられている。
【００１８】
用紙繰り出し搬送機構５０は、互いに協働して用紙を一枚ずつに分離し挟持して搬送する搬送ローラ５２及び分離ローラ５３を有している。また、用紙繰り出し搬送機構５０は、搬送ローラ５２及び分離ローラ５３を含む分離搬送経路Ｃの外側（下側）に設けられ略円弧状に湾曲したガイド面５５を有するガイド部５６を備えており、前述した分離搬送経路Ａとは別の分離搬送経路Ｃから、分離搬送経路Ａ，Ｃに共通の処理搬送経路Ｂに用紙を送り込む。つまり、このプリンタ１は、複数の分離搬送経路Ａ，Ｃからの用紙を共通の処理搬送経路Ｂによって印刷部２９に向けて搬送する。そして、処理搬送経路Ｂは、分離搬送経路Ｃから一枚ずつ分離された状態で搬送されてきた用紙についても、これを印刷部２９に搬送し、印刷部２９で印刷して、スタッカ１１上に排紙する。
【００１９】
本実施形態のプリンタ１の場合、図３（ａ）に示すように、用紙カセット９の底面には、積層状態で収容された用紙Ｐの有無を検出する用紙検出センサ（検出手段）６０が設けられている。この用紙検出センサ６０は、上下に遥動自在な接触子を有し、図３（ａ）に示すように用紙Ｐの重量で下降すると用紙有りであることを検出し、図３（ｂ）に示すように用紙Ｐがなくなって上昇すると用紙無しであることを検出する。
【００２０】
また、用紙カセット９内にその許容最大収容量まで収容されて保持された用紙Ｐを、用紙Ｐの干渉等なく、図３（ｂ）に示すように全てスタッカ１１の上に積層させることが可能となるように、スタッカ１１の上面から、排出搬送機構３１で構成される処理搬送経路Ｂの排出口６１までの高さが設定されている。
【００２１】
さらに、スタッカ１１は、図３（ａ）及び図３（ｂ）に示す処理搬送経路Ｂから排出される用紙Ｐを受け入れる排出位置と、図３（ｃ）に示すように処理搬送経路Ｂの排出口６１よりも全体として高くなることで処理搬送経路Ｂから排出される用紙Ｐを用紙カセット９に収納させる開放位置との間で可動機構７０により昇降移動可能である。可動機構７０は、駆動源である昇降モータ７１と、昇降モータ７１からの駆動力により動作する可動リンク７２を備え、可動リンク７２がスタッカ１１に連結された構成を有する。スタッカ１１がプリンタ１の本体に装着されると、可動機構７０の可動リンク７２がスタッカ１１に係合されて移動可能となる。また、スタッカ１１が排出位置にあることを検出する排出位置センサ６２と、スタッカ１１が開放位置にあることを検出する開放位置センサ６３とが設けられており、スタッカ１１の位置はこれらのセンサ６２，６３により検出可能である。
【００２２】
次に、用紙カセット９と手差し給紙部３０とからそれぞれ用紙Ｐを供給して連続処理する工程について、図４のフローチャートを参照して説明する。
【００２３】
まず、スタッカ１１が排出位置にあることを排出位置センサ６２が検出しているか否かを判定し（ステップＳ１）、スタッカ１１が排出位置にあることを排出位置センサ６２が検出していると、用紙カセット９から用紙Ｐを一枚ずつ分離して繰り出し、繰り出された用紙Ｐを分離搬送経路Ａ及び処理搬送経路Ｂからなる第１経路によって搬送して、印刷部２９によって印刷した後に、排出位置にあるスタッカ１１に排紙する（ステップＳ２）。なお、ステップＳ１においてスタッカ１１が排出位置にあることを排出位置センサ６２が検出していなければ、表示部１３にアラームを表示させることでユーザに知らせて（ステップＳ３）、処理を終了する。
【００２４】
そして、ステップＳ２の後、設定された枚数の印刷が終了したか否かを判定し（ステップＳ４）、設定された枚数の印刷が終了したら、処理を終了する。また、設定された枚数の印刷が終了していなければ、用紙検出センサ６０の検出結果から用紙カセット９の用紙Ｐの有無を確認する（ステップＳ５）。用紙カセット９に用紙Ｐが有れば、ステップＳ２に戻り、用紙カセット９の用紙Ｐの繰り出しを繰り返す。これにより、スタッカ１１上に印刷処理後の用紙Ｐが積層されていく。また、ステップＳ５で用紙カセット９に用紙Ｐがなければ（図３（ｂ）に示す状態）、処理開始前に設定されたモードを確認し、この設定モードが経路切り替え印刷モードであるか否かを判断する（ステップＳ６）。
【００２５】
ステップＳ６で経路切り替え印刷モードでないと判断されたら、用紙カセット９に用紙Ｐがないことを表示部１３に表示させることでユーザに知らせて（ステップＳ７）、処理を終了する。他方、ステップＳ６で経路切り替え印刷モードであると判断されたら、スタッカ１１を開放位置に向け上昇移動させる（ステップＳ８）。スタッカ１１が上昇し開放位置に移動したことを開放位置センサ６３で検出すると（ステップＳ９）、スタッカ１１を停止させる（ステップＳ１０）。
【００２６】
そして、手差し給紙部３０から用紙Ｐを一枚ずつ分離して繰り出し、繰り出された用紙Ｐを分離搬送経路Ｃ及び処理搬送経路Ｂからなる第２経路によって搬送し、印刷部２９によって印刷した後に、開放位置にあるスタッカ１１の下側に排紙する（ステップＳ１１）。スタッカ１１が開放位置にあるため、排出された用紙Ｐは用紙カセット９内に排紙される。そして、設定された枚数の印刷が終了したか否かを判定し（ステップＳ１２）、設定された枚数の印刷が終了していなければ、ステップＳ１１に戻り、手差し給紙部３０の用紙Ｐの繰り出しを繰り返す。これにより、用紙カセット９に印刷処理後の用紙Ｐが積層される（図３（ｃ）に示す状態）。ステップＳ１２において、設定された枚数の印刷が終了したら、処理を終了する。
【００２７】
なお、処理開始時点で用紙カセット９に用紙Ｐがない場合に、ステップＳ８以降を直接実行するようにしても良い。つまり、スタッカ１１を開放位置に上昇移動させて、手差し給紙部３０から用紙Ｐを一枚ずつ分離して繰り出し、繰り出された用紙Ｐを分離搬送経路Ｃ及び処理搬送経路Ｂからなる第２経路によって搬送し、印刷部２９による印刷の後に、開放位置にあるスタッカ１１の下側に、すなわち用紙カセット９内に向けて排紙する。
【００２８】
以上説明したように、本実施形態のプリンタ１によれば、スタッカ１１を排紙状態として、第１の供給側媒体保持部である用紙カセット９に積層状態で収容された複数の用紙Ｐを分離搬送経路Ａ及び処理搬送経路Ｂで印刷部２９に搬送し、印刷部２９による印刷処理の後に、この用紙カセット９の上側に設けられたスタッカ１１に排出する。
【００２９】
そして、用紙カセット９の用紙Ｐが全てスタッカ１１に排出されたことが、用紙検出センサ６０により検出された後、スタッカ１１を開放位置にして、第２の供給側媒体保持部である手差し給紙部３０に積層状態で収容された複数の用紙Ｐを分離搬送経路Ｃ及び処理搬送経路Ｂで印刷部２９に搬送し、印刷部２９で印刷した後に、一旦空になった用紙カセット９に収容する。これにより、スタッカ１１を取り除く作業を行うことなく、かつスタッカ１１から排出口６１までの高さを大きくすることなく、複数の供給側媒体保持部である用紙カセット９及び手差し給紙部３０から排紙された用紙Ｐを保持することができる。よって、プリンタ１の利便性が向上するとともに、プリンタ１の大型化を抑制することができる。つまり、用紙Ｐのスタック能力の向上により利便性を向上させ、スタック部分の省スペース化を実現できる。
【００３０】
また、本実施形態のプリンタ１によれば、手差し給紙部３０から供給された用紙Ｐを印刷処理後に用紙カセット９に収容するため、これらの用紙Ｐを用紙カセット９ごと取り外して運搬等することができ、この点でも利便性に優れている。
【００３１】
なお、上記実施形態とは別の形態例として、図５に示すように、スタッカ１１に、スタッカ１１が排出位置にあるときスタッカ１１と同一平面に配置され（図５に示す破線の状態）、スタッカ１１が開放位置に上昇すると支軸６５を中心に、自重やバネによる付勢で下側に回動して、用紙カセット９とスタッカ１１との排紙方向の隙間を塞いで用紙Ｐを用紙カセット９内に案内する（図５に示す実線の状態）、ガイド６６を設けるようにしても良い。例えば、用紙カセット９の用紙Ｐの最大容量の厚さが手差し給紙部３０の用紙Ｐの許容最大収容量の厚さと等しい場合等、手差し給紙部３０の用紙Ｐの容量が多い場合に、このようなガイド６６を設けることが好ましい。
【００３２】
また、図６に示すように、ガイド６６をリンク機構とし、スタッカ１１が排出位置にあるときスタッカ１１と同一平面に配置され（図６に示す破線の状態）、スタッカ１１が開放位置に上昇すると支軸６５，６７を中心に回動して用紙カセット９とスタッカ１１との排紙方向の隙間を塞ぐ（図６に示す実線の状態）ようにしても良い。このように構成すれば、用紙Ｐを用紙カセット９内に案内するガイド６６によって、スタッカ１１を、排出位置と開放位置とに移動可能な支持構造の簡略化を図ることができる。
【００３３】
なお、スタッカ１１が開放位置に上昇したときに用紙カセット９とスタッカ１１との排紙方向の隙間を塞いで用紙Ｐを用紙カセット９内に案内するガイド６６は、用紙カセット９側に設けることも可能である。
【００３４】
また、上記の何れの実施形態においても、スタッカ１１の排出位置から開放位置への上昇の際、プリンタ１の前方側への移動を伴うものであっても良く、伴わないものであっても良い。
また、上記実施形態では、スタッカ１１をモータ７１で移動させる場合について説明したが、可動機構７０からモータ７１を除いてスタッカ１１を手動によって移動可能な構成とし、プリンタ１の表示部１３で作業者にスタッカ１１の移動を指示するようにしても良い。
また、供給側媒体保持部および分離搬送経路がプリンタ１に３つ以上設けられ、それぞれの搬送経路からスタッカ上に排紙する構成となっていても良い。
【００３５】
なお、本発明に係る情報処理装置は、上記の実施の形態として説明したプリンタに限らない。例えば、コピー機、ファックス、紙幣両替機、発券機など、上記実施の形態と同様な給紙経路を２系統有し、排出経路が一つである各種機器に応用することができる。
【図面の簡単な説明】
【００３６】
【図１】本発明に係る情報処理装置の一例であるプリンタの前面側斜め上方から見た斜視図である。
【図２】図１のプリンタの構造を示す部分側断面図である。
【図３】図１のプリンタの構造を概略的に示す部分側断面図である。
【図４】図１のプリンタにおける用紙搬送の制御のフローチャートである。
【図５】図１のプリンタの変形例の構造を概略的に示す部分側断面図である。
【図６】図１のプリンタの変形例の構造を概略的に示す部分側断面図である。
【符号の説明】
【００３７】
１…プリンタ（情報処理装置）、９…用紙カセット（第１の供給側媒体保持部）、１１…スタッカ（排出側媒体保持部）、２９…印刷部（処理部）、３０…手差し供給部（第２の供給側媒体保持部）、６０…用紙検出センサ（検出手段）、７０…可動機構、Ａ…分離搬送経路（第１の分離搬送経路）、Ｂ…処理搬送経路、Ｃ…分離搬送経路（第２の分離搬送経路）、Ｐ…用紙（媒体）。
【図１】
2009120362.tif 000003
【図２】
2009120362.tif 000004
【図３】
2009120362.tif 000005
【図４】
2009120362.tif 000006
【図５】
2009120362.tif 000007
【図６】
2009120362.tif 000008